(57)【要約】【課題】    障子の面材表面に汚れが付着しにくく、付着した汚れを容易に落とすことができる建具を提供すること。【解決手段】複層ガラス２５の室外側（第１）のガラスパネル２５Ｂを上下左右の框材の見付け面部２２２に接着して固定し、複層ガラス２５の下辺において、浴室に面した室内側（第２）のガラスパネル２５Ａの下端縁を室外側のガラスパネル２５Ｂの下端縁よりも下方に延ばして形成したので、室内側のガラスパネル２５Ａの表面側にシール片や面材保持部による入隅部分が形成されず、その表面に付着した水等が流れ落ちやすくなる。従って、水等に含まれた埃等の汚れが障子に付着しにくくなるとともに、汚れが付着した場合でも容易に汚れを落とすことができ、障子２０の美観を維持することができる。【選択図】  図３
2006057350.tif 000002
【特許請求の範囲】
【請求項１】
枠体と、この枠体に支持される障子とを備えた建具であって、
前記障子は、上框、下框、および左右の縦框と、第１および第２の一対のパネル材が空気層を介して対向配置された複層面材とを備えて構成され、
前記上下左右の各框材は、それぞれ見付け方向に延びる見付け面部を有して形成され、
前記複層面材は、前記第１のパネル材が前記見付け面部に接着されて前記上下左右の各框材に固定され、
前記複層面材の下辺において、前記第２のパネル材の下端縁が前記第１のパネル材の下端縁よりも下方に延びて形成され、かつ上および左右の三辺のうちの少なくとも一辺において、前記第１および第２のパネル材の端縁が揃えて形成されている建具。
【請求項２】
前記複層面材の上辺において、前記第２のパネル材の上端縁が前記第１のパネル材の上端縁よりも上方に延びて形成され、かつ左右の二辺において、前記第１および第２のパネル材の端縁が揃えて形成されている請求項１に記載の建具。
【請求項３】
前記第１のパネル材よりも前記第２のパネル材の端縁が延ばされた複層面材の辺に対応する前記框材には、前記見付け面部に平行な第２見付け面部が形成されており、この第２見付け面部に前記第２のパネル材が前記第１のパネル材の接着方向と同一方向から接着されている請求項１または請求項２に記載の建具。
【請求項４】
前記第１および第２のパネル材の端縁が揃えられた複層面材の辺に対応する前記框材には、見込み方向に延出して当該辺における複層面材の端面を覆う見込み面部が形成されている請求項１から請求項３のいずれかに記載の建具。
【請求項５】
前記複層面材の第１および第２のパネル材は、それぞれ第１および第２の空間に面して設けられており、当該第２の空間は、室外空間、または所定の室内空間である請求項１から請求項４のいずれかに記載の建具。
【請求項６】
少なくとも前記第２のパネル材の表面には、光触媒からなるコーティングが設けられている請求項１から請求項５のいずれかに記載の建具。
【発明の詳細な説明】
【技術分野】
【０００１】
本発明は、枠体と、この枠体に支持される障子とを備えた建具に関し、詳しくは、引き違い窓、片引き窓、開き窓、辷り出し窓、嵌め殺し窓等の各種形式のサッシ窓としての建具や、引き戸、開き戸等の各種出入り口としての建具に関する。
【背景技術】
【０００２】
従来より、サッシ窓や出入り口において、上下左右の框材を四周框組した内部に複層ガラスや合せガラス等の面材を嵌め込んで構成された障子が多用されている。そして、障子における面材の支持構造としては、各框材の見付け方向内側に形成した断面略凹状の面材保持部に、シール性を有したガスケットを介して面材（複層ガラス）の四周を保持したものが一般的である（例えば、特許文献１参照）。このようなガスケットは、断面略コ字形に形成され、面材の表裏面に密接するシール片（リップ片）を有しており、面材と框材との間がガスケットでシールされることによって障子の気密性および水密性が確保できるようになっている。
【０００３】
【特許文献１】特開２００１−１５９２７３号公報
【発明の開示】
【発明が解決しようとする課題】
【０００４】
しかしながら、従来の障子では、ガスケットのシール片および框材の面材保持部が面材表面よりも突出しているために、例えば、室外空間に面した面材表面を流れ落ちた雨水等が面材とシール片や面材保持部との入隅部分に溜まってしまい、この溜まった雨水等に含まれた埃等の汚れが障子に付着するとともに、付着した汚れを清掃により落としにくいという問題がある。
このような問題は、室外空間に面した建具の場合に限らず、例えば、浴室やキッチン等の室内空間に面し、飛び散った水や油等が面材表面に付着しやすい建具においても同様の問題がある。
【０００５】
本発明の目的は、障子の面材表面に汚れが付着しにくく、付着した汚れを容易に落とすことができる建具を提供することにある。
【課題を解決するための手段】
【０００６】
本発明の建具は、枠体と、この枠体に支持される障子とを備えた建具であって、前記障子は、上框、下框、および左右の縦框と、第１および第２の一対のパネル材が空気層を介して対向配置された複層面材とを備えて構成され、前記上下左右の各框材は、それぞれ見付け方向に延びる見付け面部を有して形成され、前記複層面材は、前記第１のパネル材が前記見付け面部に接着されて前記上下左右の各框材に固定され、前記複層面材の下辺において、前記第２のパネル材の下端縁が前記第１のパネル材の下端縁よりも下方に延びて形成され、かつ上および左右の三辺のうちの少なくとも一辺において、前記第１および第２のパネル材の端縁が揃えて形成されていることを特徴とする。
【０００７】
ここで、複層面材としては、パネル材として二枚のガラスパネルを用いた複層ガラスでもよく、またガラスパネルとアクリル等の樹脂パネルとを用いたものでもよい。また、複層面材の空気層としては、乾燥空気を密封したものでもよく、またアルゴンガス等の断熱性に優れた（熱伝導率の低い）ガスを密封したものでもよい。
【０００８】
このような構成によれば、第１のパネル材を見付け面部に接着することで上下左右の各框材に複層面材が固定され、かつ第２のパネル材の下端縁を第１のパネル材よりも下方に延ばして形成したので、第２のパネル材の表面側にシール片や面材保持部による入隅部分が形成されず、その表面に付着した水等が流れ落ちやすくなる。従って、水等に含まれた埃等の汚れが障子に付着しにくくなるとともに、汚れが付着した場合でも容易に汚れを落とすことができ、障子の美観を維持することができる。
さらに、接着により複層面材を框材に固定することで、ビス止めにより各框材を框組みする必要がなく、接着力によって各框材および複層面材を一体化することができ、障子の組立工程を簡略化することができる。そして、各框材および複層面材が接着により一体化されることで、ガスケットを介して面材が框材に支持される従来の障子と比較して、障子の面内剛性が飛躍的に向上されて開閉時等のがたつきを防止することができる。
そして、複層面材は、各框材の見付け面部に四周連続して貼付けた接着テープにより接着されていることが好ましく、このようにすれば、通常の接着剤を用いて接着する場合と比較して接着作業が簡単にできるとともに、接着と同時に框材と複層面材との間のシールが完了するため、障子の組立工程をより一層簡略化することができる。
【０００９】
また、第１のパネル材よりも端縁を延ばして形成した第２のパネル材によって框材の前面側を覆うように構成すれば、第２のパネル材側から框材が見えない、または框材を目立たないようにすることができ、建具の外観意匠性を向上させることができる。
さらに、複層面材の上および左右の三辺のうちの少なくとも一辺において、第１および第２のパネル材の端縁を揃えて形成したことで、揃えた端縁側を下にして立てた状態で複層面材を製造したり、運搬したり、框材に組み込んだりすることができ、効率よく障子を製造することができる。つまり、複層面材の四辺全てにおいて第１および第２のパネル材の端縁位置をずらしてしまうと、複層面材を立てた状態で支持することが困難になるためであるが、本発明によれば複層面材を立てた状態で支持することができる。
【００１０】
この際、本発明の建具では、前記複層面材の上辺において、前記第２のパネル材の上端縁が前記第１のパネル材の上端縁よりも上方に延びて形成され、かつ左右の二辺において、前記第１および第２のパネル材の端縁が揃えて形成されていることが好ましい。
このような構成によれば、障子を上下および左右の各々の方向に関して対象に形成することができ、障子の外観意匠性をさらに良好にすることができる。
【００１１】
さらに、本発明の建具では、前記第１のパネル材よりも前記第２のパネル材の端縁が延ばされた複層面材の辺に対応する前記框材には、前記見付け面部に平行な第２見付け面部が形成されており、この第２見付け面部に前記第２のパネル材が前記第１のパネル材の接着方向と同一方向から接着されていることが好ましい。
このような構成によれば、複層面材の少なくとも下辺において、第１のパネル材に加えて第２のパネル材が框材に接着されることで、複層面材の框材への固定強度を向上させることができる。さらに、第１のパネル材よりも延ばされた第２のパネル材の下端縁を下框に接着することで、複層面材と下框との間がシールされることとなるため、第２のパネル材表面側からの水の浸入を防止することができ、障子の水密性を向上させることができる。
【００１２】
また、本発明の建具では、前記第１および第２のパネル材の端縁が揃えられた複層面材の辺に対応する前記框材には、見込み方向に延出して当該辺における複層面材の端面を覆う見込み面部が形成されていることが好ましい。
このような構成によれば、複層面材の端面に沿って框材の見込み面部が配置されるので、この見込み面部がカバー材として機能し、障子の外観意匠性を高めるとともに、複層面材の端面を保護することができる。従って、複層面材のパネル材同士を連結する連結シール材の劣化を防止し、複層面材を長寿命化することができる。
【００１３】
さらに、本発明の建具では、前記複層面材の第１および第２のパネル材は、それぞれ第１および第２の空間に面して設けられており、当該第２の空間は、室外空間、または所定の室内空間であることが好ましい。
ここで、所定の室内空間としては、浴室やキッチン等の水を多く利用する空間が例示される。すなわち、第２の空間である室外空間や所定の室内空間では、障子（複層面材）に水がかかりやすくなっている。
このような構成によれば、第２のパネル材を第２の空間に面して配置することにより、第２のパネル材にかかった水を流れ落とさせることで、汚れの付着を防止して、障子の清掃手間を軽減することができる。
【００１４】
以上において、本発明の建具では、少なくとも前記第２のパネル材の表面には、光触媒からなるコーティングが設けられていることが好ましい。
このような構成によれば、第２のパネル材表面にコーティングした酸化チタン等からなる光触媒の作用により、有機物が分解されて汚れの付着が防止できるとともに、光触媒の親水性により付着した汚れを水とともに洗い流すことができ、障子の清掃手間をさらに一層軽減することができる。
【発明を実施するための最良の形態】
【００１５】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１６】
〔第１実施形態〕
図１は、本発明の第１実施形態に係る建具であるサッシ窓１を示す縦断面図である。図２は、サッシ窓１を示す横断面図である。図３は、サッシ窓１の下枠部分を拡大して示す縦断面図である。
図１〜図３において、サッシ窓１は、室外空間（第１の空間）と浴室やキッチン等の室内空間（第２の空間）とを仕切る窓であって、外壁２の開口部３に設けられ、外壁２を構成する躯体としての壁パネル４や、壁パネル４および内装材５の開口内周面を覆うアルミ形材製の額縁材６に固定されている。
【００１７】
サッシ窓１は、それぞれアルミ押出形材製の上枠１１、下枠１２、および左右の縦枠１３を四周枠組みした窓枠（枠体）１０と、この窓枠１０の内側にスライド開閉自在に支持された１つの障子２０とを備えて構成されている。障子２０は、それぞれアルミ押出形材製の上框２１、下框２２、および左右の縦框２３，２４と、これら上下左右の框（各框材）２１〜２４に固定された複層ガラス（複層面材）２５とを備えて構成されている。複層ガラス２５は、室内側のガラスパネル（第２のパネル材）２５Ａおよび室外側のガラスパネル（第１のパネル材）２５Ｂからなる二枚のガラスパネル２５Ａ，２５Ｂ同士が空気層２５Ｃを介して対向配置され、ガラスパネル２５Ａ，２５Ｂの四周端縁部分が連結シール材２５Ｄにより連結されて空気層２５Ｃが密閉されて形成されている。
そして、サッシ窓１は、障子２０を図２の右側にスライドさせれば、図２中、左側の縦框２３と縦枠１３との間に１０cm程度の隙間ができて開くようになっており、換気や通風ができるようになっている。
【００１８】
窓枠１０の上枠１１、下枠１２、および縦枠１３は、それぞれ断面略矩形中空状の枠材本体部１１１，１２１，１３１と、この枠材本体部１１１，１２１，１３１から室内側に延びて額縁材６にビス止め固定される第１固定片部１１２，１２２，１３２と、枠材本体部１１１，１２１，１３１からから見付け方向外側に延びて壁パネル４に固定される第２固定片部１１３，１２３，１３３とを有して形成されている。また、上枠１１は、枠材本体部１１１から室外側に延びるとともに下方に折れ曲がって上框２１を案内する案内片部１１４を有しており、下枠１２は、枠材本体部１２１の室外側において上方に突出して下框２２を案内するレール部１２４を有している。さらに、上枠１１、下枠１２、および縦枠１３の枠材本体部１１１，１２１，１３１の室外側側面には、室外側に突出して上框２１、下框２２、および縦框２３，２４に当接する気密材１１５，１２５，１３５が設けられている。
【００１９】
障子２０の上框２１は、中空状の框材本体部２１１と、この框材本体部２１１の下部室外側端から見付け方向下方に突出した見付け面部２１２と、この見付け面部２１２よりも室内側で見付け面部２１２に平行に形成された第２見付け面部２１３と、框材本体部２１１の上部室内側端に形成され上枠１１の案内片部１１４が挿入される凹溝部２１４とを有している。そして、框材本体部２１１の室内側側面に、上枠１１の気密材１１５が摺接するようになっている。また、框材本体部２１１の室内側下面は、上枠１１の下面と略同一高さ位置、または上枠１１の下面よりも若干高い位置に設けられており、室内側から水平に障子２０を見た場合に上枠１１に隠れて上框２１が見えないようになっている。
【００２０】
下框２２は、中空状の框材本体部２２１と、この框材本体部２２１の上部室外側端から見付け方向上方に突出した見付け面部２２２と、この見付け面部２２２よりも室内側で見付け面部２２２に平行に形成された第２見付け面部２２３と、框材本体部２２１の下部室内側端に形成され下枠１２のレール部１２４に支持される被支持部２２４とを有している。そして、框材本体部２２１の室内側側面に、下枠１２の気密材１２５が摺接するようになっている。また、框材本体部２２１の室内側上面は、下枠１２の上面と略同一高さ位置、または下枠１２の上面よりも若干低い位置に設けられており、室内側から水平に障子２０を見た場合に下枠１２に隠れて下框２２が見えないようになっている。
【００２１】
縦框２３，２４は、中空状の框材本体部２３１，２４１と、この框材本体部２３１，２４１の室外側端から見付け方向内方に突出した見付け面部２３２，２４２と、框材本体部２３１，２４１の室内側に係合された押縁材２３３，２４３と、この押縁２３３，２４３と複層ガラス２５との間に介装されるシール材２３４，２４４とを有している。そして、押縁材２３３，２４３の室内側側面に、縦枠１３の気密材１３５が摺接するようになっている。また、押縁材２３３，２４３の見付け方向内端縁は、縦枠１３の見付け方向内端面と略同一位置、または縦枠１３の見付け方向内端面よりも若干外側に設けられており、室内側から障子２０を見た場合に縦枠１３に隠れて縦框２３，２４が見えないようになっている。
【００２２】
一方、障子２０の複層ガラス２５は、室外側のガラスパネル２５Ｂの四周端縁部が上下左右の各框（各框材）２１〜２４における見付け面部２１２，２２２，２３２，２４２の室内側側面に接着テープ３０によって接着されて固定されている。この接着テープ３０は、上下左右の各框２１〜２４に四周連続して貼付けられている。このため、各框２１〜２４と複層ガラス２５との間は、接着テープ３０によりシールされ、障子２０の気密性、水密性が確保されるようになっている。また、接着テープ３０は、弾性材料から形成され、伸び変形およびせん断変形可能になっている。そして、接着テープ３０の厚さ寸法は、各框２１〜２４と複層ガラス２５との熱伸び量の差を接着テープ３０の弾性変形により吸収できるように設定されている。
【００２３】
また、複層ガラス２５の上下の各辺において、室内側のガラスパネル２５Ａの上下の各端縁は、室外側のガラスパネル２５Ｂの上下の各端縁よりも上方または下方に延びて形成されており、この延長された室内側のガラスパネル２５Ａの室外側側面と上框２１および下框２２の第２見付け面部２１３，２２３とが接着テープ３１で接着されている。この接着テープ３１の左右両端は、縦框２３，２４のシール材２３４，２４４に接続されている。そして、複層ガラス２５の下辺は、下框２２の框材本体部２２１上の複数箇所に設けられたセッティングブロック２５Ｅ上に載置されている。
一方、複層ガラス２５の左右の各辺において、室内外のガラスパネル２５Ａ，２５Ｂの側端縁は、揃えて形成されており、左右各端面（エッジ）と、縦框２３，２４の框材本体部２３１，２４１の見付け方向内面（見込み面部２３５，２４５）とは、隙間を介して対向して配置されている。つまり、複層ガラス２５の左右各端面は、縦框２３，２４の見込み面部２３５，２４５に覆われている。
【００２４】
以上のように上下左右の各框２１〜２４に固定された複層ガラス２５において、室内側のガラスパネル２５Ａの室内面には、酸化チタン等からなる光触媒がコーティングされている。なお、室内側のガラスパネル２５Ａのみならず、室外側のガラスパネル２５Ｂの室外面に光触媒がコーティングされていてもよい。
そして、浴室やキッチン等の室内空間に面した室内側のガラスパネル２５Ａには、水がかかりやすくなっているが、かかった水は、図３に矢印で示すように、下框２２の框材本体部２２１上まで真っ直ぐに室内側のガラスパネル２５Ａ表面を流れ落ち、その表面上に溜まらないようになっている。下框２２の框材本体部２２１上に流れ落ちた水は、図示しない排水経路を通って室外空間に排水される、または室内空間に設けた排水ドレン等に排水されるようになっている。
【００２５】
このような本実施形態によれば、以下のような効果がある。
（１）すなわち、複層ガラス２５における室外側のガラスパネル２５Ｂを上下左右の各框２１〜２４の見付け面部２１２，２２２，２３２，２４２に接着することで複層ガラス２５が固定され、かつ室内側のガラスパネル２５Ａの下端縁を室外側のガラスパネル２５Ｂよりも下方に延ばして形成したので、室内側のガラスパネル２５Ａの室内表面側にシール片や面材保持部による入隅部分が形成されず、その表面に付着した水等が流れ落ちやすくなる。従って、水等に含まれた埃等の汚れが複層ガラス２５に付着しにくくなるとともに、汚れが付着した場合でも容易に汚れを落とすことができ、障子２０の美観を維持することができる。
【００２６】
（２）また、複層ガラス２５が各框２１〜２４に接着により固定されることで、ビス止めにより各框２１〜２４を框組みする必要がなく、接着力によって各框２１〜２４および複層ガラス２５が一体化可能になり、障子２０の組立工程を簡略化することができる。そして、各框２１〜２４および複層ガラス２５が接着により一体化されることで、ガスケットを介して面材が框材に支持される従来の障子と比較して、障子２０の面内剛性が飛躍的に向上されて開閉時等のがたつきを防止することができる。
【００２７】
（３）さらに、複層ガラス２５が上下左右の各框２１〜２４の見付け面部２１２，２２２，２３２，２４２に四周連続して貼付けた接着テープ３０により接着されることで、通常の接着剤を用いて接着する場合と比較して接着作業が簡単にできるとともに、接着と同時に各框２１〜２４と複層ガラス２５との間のシールが完了するため、障子２０の組立工程をより一層簡略化することができる。
【００２８】
（４）また、複層ガラス２５の左右縦辺において、室内外のガラスパネル２５Ａ，２５Ｂの端縁を揃えて形成したことで、左右いずれかの端縁側を下にして立てた状態で複層ガラス２５を製造したり、運搬したり、框材に組み込んだりすることができ、効率よく障子２０を製造することができる。
【００２９】
（５）さらに、複層ガラス２５の上下辺において、室内側のガラスパネル２５Ａの下端縁が室外側のガラスパネル２５Ｂよりも下方に延ばして形成され、複層ガラス２５の左右の二辺において、室内外のガラスパネル２５Ａ，２５Ｂの端縁が揃えて形成されていることで、障子２０を上下および左右の各々の方向に関して対象に形成することができ、障子２０の外観意匠性をさらに良好にすることができる。
【００３０】
（６）また、縦框２３，２４に形成した見込み面部２３５で複層ガラス２５の側端面を覆うことで、障子２０の外観意匠性を高めるとともに、複層ガラス２５の端面を保護することができる。従って、複層ガラス２５のパネル材２５Ａ，２５Ｂ同士を連結する連結シール材２５Ｄの劣化を防止して複層ガラス２５を長寿命化することができる。
【００３１】
（７）また、上下の各框２１，２２に第２見付け面部２１３，２２３が形成され、この第２見付け面部２１３，２２３に室内側のガラスパネル２５Ａの室外側側面が接着されていることで、複層ガラス２５の上下辺において、室内外両方のガラスパネル２５Ａ，２５Ｂが框２１，２２に接着され、複層ガラス２５の固定強度を向上させることができる。さらに、室内側のガラスパネル２５Ａの下端縁を下框２２に接着することで、複層ガラス２５と下框１２との間がシールされることとなるため、室内空間側からの水の浸入を防止することができ、障子２０の水密性を向上させることができる。
【００３２】
（８）さらに、室内側のガラスパネル２５Ａの室内側表面にコーティングした光触媒の作用により、有機物が分解されて汚れの付着が防止できるとともに、光触媒の親水性により付着した汚れを水とともに洗い流すことができ、障子２０の清掃手間をさらに一層軽減することができる。
【００３３】
〔第２実施形態〕
次に、本発明の第２実施形態に係る建具であるサッシ窓１Ａについて、図４〜図６に基づいて説明する。
図４は、サッシ窓１Ａを示す縦断面図である。図５は、サッシ窓１Ａを示す横断面図である。図６は、サッシ窓１Ａの下枠部分を拡大して示す縦断面図である。
サッシ窓１Ａは、窓枠１０の開口部３への固定構造と、障子２０の構成とが前述の第１実施形態のサッシ窓１と相違している。そして、本実施形態において、第１の空間は室内空間であり、第２の空間は室外空間であって、さらに障子２０の複層ガラス２５における第１のパネル材は室内側のガラスパネル２５Ａであり、第２のパネル材は室外側のガラスパネル２５Ｂである。以下、相違点について詳しく説明する。
【００３４】
サッシ窓１Ａの窓枠１０を構成する上枠１１、下枠１２、および縦枠１３は、第１固定片部１１２，１２２，１３２が額縁材６にビス止め固定されるのではなく、第１固定片部１１２，１２２，１３２の見付け方向外側に対向して設けられた挟持片部１１６，１２６，１３６と第１固定片部１１２，１２２，１３２とで額縁材６を挟持することにより額縁材６に固定されている。
【００３５】
障子２０の複層ガラス２５の上下の各辺において、室内側のガラスパネル２５Ａの上下の各端縁よりも室外側のガラスパネル２５Ｂの上下の各端縁が上方または下方に延びて形成されている。
上框２１および下框２２の見付け面部２１２，２２２は、框材本体部２１１，２２１の室内寄りの位置に形成され、この見付け面部２１２，２２２の室外側側面に複層ガラス２５の室内側のガラスパネル２５Ａが接着されている。そして、第２見付け面部２１３，２２３は、框材本体部２１１，２２１の室外側側面に形成され、この第２見付け面部２１３、２２３に複層ガラス２５の室外側のガラスパネル２５Ｂの室内側側面が接着されている。
また、縦框２３，２４の見付け面部２３２，２４２は、框材本体部２３１，２４１の室内寄りの位置に形成され、この見付け面部２３２，２４２の室外側側面に複層ガラス２５の室内側のガラスパネル２５Ａが接着されている。そして、押縁材２３３，２４３は、框材本体部２３１，２４１の室外側に係合され、この押縁材２３３，２４３と室外側のガラスパネル２５Ｂとの間にシール材２３４，２４４が介装されている。
【００３６】
以上のような障子２０において、複層ガラス２５の室外側のガラスパネル２５Ｂの室外面に光触媒がコーティングされている。
そして、室外空間に面した室外側のガラスパネル２５Ｂには、雨水等の水がかかりやすくなっているが、かかった水は、図６に矢印で示すように、下框２２の框材本体部２２１底面上まで真っ直ぐに室外側のガラスパネル２５Ｂ表面を流れ落ち、その表面上に溜まらないようになっている。下框２２に流れ落ちた水は、框材本体部２２１底面に形成された図示しない排水孔を通って室外空間に排水されるようになっている。
【００３７】
このような本実施形態によれば、前述の（１）〜（８）の効果と略同様の効果を備えたサッシ窓１Ａを構成することができる。すなわち、第１実施形態における室内側のガラスパネル２５Ａに汚れが付着しにくく清掃性に優れるという効果が、本実施形態の室外側のガラスパネル２５Ｂにおいて実現できるとともに、障子２０の組立性についても第１実施形態と同様の効果を得ることができる。
【００３８】
〔第３実施形態〕
次に、本発明の第３実施形態に係る建具であるサッシ窓１Ｂについて、図７〜図９に基づいて説明する。
図７は、サッシ窓１Ｂの下枠部分を示す縦断面図である。図８は、サッシ窓１Ｂの障子５０を示す横断面図である。図９は、障子５０の下部を断面して示す斜視図である。
サッシ窓１Ｂは、窓枠（枠体）４０と、窓枠４０内に開閉自在に支持された室内外一対の障子５０とを備えた引違い窓である。窓枠４０は、それぞれアルミ押出形材製の上枠（不図示）、下枠４２、および左右の縦枠（不図示）を四周枠組みして形成されている。そして、下枠４２には、障子５０の戸車５６を案内するレール部材４２Ａが設けられている。
【００３９】
サッシ窓１Ｂの障子５０は、上框（不図示）、下框５２、および左右の縦框５３，５４と、これら上下左右の框（各框材）５２〜５４に固定された複層面材としての複層ガラス５５とを備えて構成されている。そして、一組の障子５０は、室内側の障子５０Ａと、室外側の障子５０Ｂとが、それぞれ窓枠４０内において左右にスライド自在に支持されるとともに、窓枠４０の見付け方向（図８中、左右方向）略中央位置の召合せ部分で重なって閉じるようになっている。また、複層ガラス５５は、第１実施形態の複層ガラス２５と同様に、室内側のガラスパネル（第１のパネル材）５５Ａおよび室外側のガラスパネル（第２のパネル材）５５Ｂからなる二枚のガラスパネル５５Ａ，５５Ｂ同士が空気層５５Ｃを介して対向配置され、ガラスパネル５５Ａ，５５Ｂの四周端縁部分が連結シール材５５Ｄにより連結されて空気層５５Ｃが密閉されて形成されている。そして、複層ガラス５５の下辺において、室外側のガラスパネル５５Ｂの下端縁は、室内側のガラスパネル５５Ａの下端縁よりも下方に延びて形成されている。
【００４０】
障子５０の下框５２は、中空状の框材本体部５２１と、この框材本体部５２１の上部室内側端から見付け方向上方に突出した見付け面部５２２と、框材本体部５２１の下部室外側端から見付け方向下方に突出した第２見付け面部５２３と、この第２見付け面部５２３の下端縁から室外側に突出した突出片部５２４とを有して形成されている。そして、突出片部５２４の先端が下枠４２のレール部材４２Ａに設けた気密材４２Ｂに摺接するようになっている。また、複層ガラス５５は、室内側のガラスパネル５５Ａ下端縁の室内面が見付け面部５２２の室外側側面に接着テープ３０によって接着され、室外側のガラスパネル５５Ｂ下端縁の室内面が第２見付け面部５２３の室外側側面に接着テープ３１によって接着されて下框５２に固定されている。
【００４１】
室内側の障子５０Ａにおける召合せ側の縦框５３Ａは、中空状の框材本体部５３１と、この框材本体部５３１の室外側側面によって構成された見付け面部５３２と、この見付け面部５３２から室外側に突出した見込み面部５３３とを有して形成されている。また、室外側の障子５０Ｂにおける召合せ側の縦框５３Ｂは、複層ガラス５５の室内側にて見付け方向に延びる見付け面部５３４と、この見付け面部５３４から室外側に突出した見込み面部５３５と、見込み面部５３５の室外側に係合された押縁材５３６とを有して形成されている。
一方、戸先側の縦框５４は、中空状の框材本体部５４１と、この框材本体部５４１の室外側側面によって構成された見付け面部５４２と、この見付け面部５４２から室外側に突出した見込み面部５４３と、見込み面部５４３の室外側に係合された押縁材５４４とを有して形成されている。
【００４２】
また、複層ガラス５５の左右の各辺において、室内外のガラスパネル５５Ａ，５５Ｂの側端縁は、揃えて形成されており、室内側のガラスパネル５５Ａ側端縁の室内面が見付け面部５３２，５３４，５４２の室外側側面に接着テープ３０によって接着されている。また、室外側の障子５０Ｂにおける召合せ側の縦框５３Ｂおよび戸先側の縦框５４では、室外側のガラスパネル５５Ｂが押縁材５３６，５４４によって室外側から押圧されている。そして、複層ガラス５５の左右各端面は、縦框５３，５４の見込み面部５３３，５３５，５４３と隙間を介して対向し、これらの見込み面部５３３，５３５，５４３に覆われている。複層ガラス５５は、室内側のガラスパネル５５Ａ側端縁の室内面が見付け面部５３２，５３４，５４２の室外側側面に接着テープ３０によって接着されて縦框５３，５４に固定されている。
【００４３】
以上のように構成された障子５０では、室外空間に面した室外側のガラスパネル５５Ｂには、雨水等の水がかかりやすくなっているが、かかった水は、図９に矢印で示すように、下框５２の突出片部５２４上まで真っ直ぐに室外側のガラスパネル５５Ｂ表面を流れ落ち、その表面上に溜まらないようになっている。下框５２の突出片部５２４上に流れ落ちた水は、下枠４２に設けられた図示しない排水経路を通って室外空間に排水されるようになっている。
このような本実施形態によれば、前述の（１）〜（８）の効果と略同様の効果を備えた引違い形式のサッシ窓１Ｂを構成することができる。
【００４４】
なお、本発明は、前記各実施形態に限定されるものではなく、本発明の目的を達成できる他の構成等を含み、以下に示すような変形等も本発明に含まれる。
例えば、前記各実施形態では、障子２０，５０が左右にスライド可能なサッシ窓１，１Ａ，１Ｂを例示して説明したが、本発明の建具は、開き窓や、辷り出し窓、嵌め殺し窓等の各種形式のサッシ窓であってもよく、またサッシ窓に限らず、引き戸や開き戸等の各種出入り口であってもよい。
【００４５】
また、前記各実施形態では、複層ガラス２５，５５の上辺および下辺における室内外いずれかのガラスパネルを延ばして形成し、左右の各辺における室内外のガラスパネルの側端縁を揃えて形成したが、これに限らず、少なくとも複層ガラス２５，５５の下辺において室内外いずれかのガラスパネルが延ばされ、かつ上および左右の各辺のうちの一辺において室内外のガラスパネルの側端縁が揃えて形成されていればよい。
また、前記各実施形態では、複層ガラス２５，５５の各框２１，２２，２３，２４，５２，５３，５４への接着に、接着テープ３０，３１を用いたが、これに限らず、通常の接着剤を用いてもよい。また、框材の第２見付け面部２１３，２２３，５２３と複層ガラス２５，５５の室内外いずれかのガラスパネルとを接着する接着テープ３１は、省略可能であり、この接着テープに代えてシール材等を設けてもよい。
【００４６】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４７】
【図１】本発明の第１実施形態に係る建具であるサッシ窓を示す縦断面図である。
【図２】前記サッシ窓を示す横断面図である。
【図３】前記サッシ窓の下枠部分を拡大して示す縦断面図である。
【図４】本発明の第２実施形態に係る建具であるサッシ窓を示す縦断面図である。
【図５】前記サッシ窓を示す横断面図である。
【図６】前記サッシ窓の下枠部分を拡大して示す縦断面図である。
【図７】本発明の第３実施形態に係る建具であるサッシ窓の下枠部分を示す縦断面図である。
【図８】前記サッシ窓の障子を示す横断面図である。
【図９】前記障子の下部を断面して示す斜視図である。
【符号の説明】
【００４８】
１，１Ａ，１Ｂ…建具であるサッシ窓、１０，４０…枠体である窓枠、２０，５０…障子、２１…上框、２２，５２…下框、２３，２４，５３，５４…縦框、２５，５５…複層面材である複層ガラス、２５Ａ，２５Ｂ…パネル材であるガラスパネル、２５Ｃ…空気層、３０，３１…接着テープ、２１２，２２２，２３２，５２２，５３２，５３４，５４２…見付け面部、２１３，２２３，５２３…第２見付け面部、２３５，２４５，５３３，５３５，５４３…見込み面部。
【図１】
2006057350.tif 000003
【図２】
2006057350.tif 000004
【図３】
2006057350.tif 000005
【図４】
2006057350.tif 000006
【図５】
2006057350.tif 000007
【図６】
2006057350.tif 000008
【図７】
2006057350.tif 000009
【図８】
2006057350.tif 000010
【図９】
2006057350.tif 000011